(57)【特許請求の範囲】
【請求項１】
ラック、前記ラックに設置され、開口を有する壁を含むラックケース及び連動部材を有するラックシステムに用いられるスライドレールキットであって、
前記ラックケースの壁に取り付けられ、第一レール及び前記第一レールに対して移動可能な第二レールを有する第一スライドレールキットと、
前記壁の開口を介して、前記第一レールと前記連動部材との間に設置される第一連環ロック装置と、
を備え、
前記第二レールが、前記第一レールに対して、収納位置から開方向へ向かい予定位置まで移動したとき、前記第二レールは、前記第一連環ロック装置と連動し、前記連動部材を駆動して第一位置から第二位置へと移動させ、
前記第一連環ロック装置は、第一ロック部材及び第一嵌着部材を有し、
前記第一ロック部材は、移動可能で、前記第一レールに連接され、
前記第一嵌着部材は、前記壁の開口を通過し、前記第一ロック部材と前記連動部材との間に設置されるスライドレールキット。
【請求項２】
前記第一レールの一端部に連接し、開口を有するサポートフレームをさらに備え、
前記第一ロック部材は、前記サポートフレームに対して移動可能で、前記サポートフレームの開口に対応し、
前記第一嵌着部材は、前記サポートフレームの開口に介して設置される請求項１に記載のスライドレールキット。
【請求項３】
前記第二レールと前記第一ロック部材のいずれか一つは、案内部を有し、
前記案内部は、傾斜セクションを含み、
前記第二レールは、前記案内部の案内により、前記第一ロック部材を押すことが可能な請求項１に記載のスライドレールキット。
【請求項４】
ラック、前記ラックに設置され、開口を有する壁を含むラックケース及び連動部材を有するラックシステムに用いられるスライドレールキットであって、
前記ラックケースの壁に取り付けられ、第一レール及び前記第一レールに対して移動可能な第二レールを有する第一スライドレールキットと、
前記壁の開口を介して、前記第一スライドレールキットの前記第一レールと前記連動部材との間に設置される第一連環ロック装置と、
を備え、
前記第二レールが、前記第一レールに対して、収納位置から開方向へ向かい予定位置まで移動したとき、前記第二レールは、前記第一連環ロック装置と連動し、前記連動部材を駆動して第一位置から第二位置へと移動させ、
第二スライドレールキット及び第二連環ロック装置をさらに備え、
前記第二スライドレールキットは、第三レール、前記第三レールに対して移動可能な第四レールを有し、
前記第二連環ロック装置は、前記連動部材に反応し、前記第一位置から前記第二位置へと移動したとき、阻害部により、前記第四レールを阻害し、第二ロック部材と第二嵌着部材を有し、
前記第二ロック部材は、移動可能で、前記第三レールに連接し、
前記第二嵌着部材は、前記第二ロック部材と前記連動部材との間に設置され、前記連動部材が前記第一位置から前記第二位置まで移動したとき、前記第二ロック部材と連動し、前記第二ロック部材の阻害部が前記第四レールを阻害するスライドレールキット。
【請求項５】
前記ラックに取り付けられるサポートレールをさらに備える請求項１に記載のスライドレールキット。
【請求項６】
弾性力を前記第一嵌着部材に作用する弾性部材をさらに備える請求項１に記載のスライドレールキット。
【発明の詳細な説明】
【技術分野】
【０００１】
本発明はスライドレールキットに関する。
【背景技術】
【０００２】
一般に、引き出し体は複数の搭載物を有する。
各搭載物は、スライドレールキットの可動レールにより、引き出し体内から引き出し体外へと引き出され、或いは引き出し体外から引き出し体内へと収納される。
【０００３】
しかし、搭載物が多過ぎると、引き出し体に対して引き出され開かれた後、重心が引き出し体外へ移動することで、引き出し体が傾く虞がある。
そのため、通常、搭載物を開く数量を制限し、或いはこれら搭載物が同時に引き出し体に対して開かないよう制限している。
【０００４】
ラック式コンピューターサーバーシステム（ｒａｃｋ-ｍｏｕｎｔｅｄ  ｃｏｍｐｕｔｅｒ  ｓｙｓｔｅｍ）においては、通常複数の電子設備は、スライドレールキットにより、ラックの引き出しに対して引き出され或いは収納される。
【先行技術文献】
【特許文献】
【０００５】
【特許文献１】米国特許第ＵＳ８２９７７２３Ｂ２号明細書
【特許文献２】米国特許第ＵＳ７４８４８１７Ｂ２号明細書
【発明の概要】
【発明が解決しようとする課題】
【０００６】
特許文献１、２に示すスライドレールキットに用いる相互ロック装置では、第一スライドレールキットの可動レールにより、固定レールに対して引き出す時、相互ロックメカニズムにより第二スライドレールキットの可動レールをロックする。
これにより、第二スライドレールキットの可動レールは、ロックされ開くことはできない。
【０００７】
しかしながら、市場ニーズの変化に合わせ、特定の外型、或いは型式に対応するラック設備のロックメカニズムの研究開発が急がれており、市場ニーズの変化に合わせることができない欠点がある。
本発明は、このような点に鑑みて創作されたものであり、その目的は、特定の外型、或いは型式に対応して連動部材が連動するスライドレールキットを提供する。
【課題を解決するための手段】
【０００８】
本発明は、連環ロック装置により連動部材を連動するスライドレールキットである連環ロック装置を有するスライドレールキットに関する。
【０００９】
本発明によるスライドレールキットは、ラックシステムに用いられ、第一スライドレールキット及び第一連環ロック装置を備える。
ラックシステムは、ラック、ラックケース及び連動部材を有する。
ラックケースは、ラックに配置され、開口を有する壁を含む。
第一スライドレールキットは、ラックケースの壁に取り付けられ、第一レール及び第一レールに対して移動可能な第二レールを有する。
第一連環ロック装置は、壁の開口を介して、第一レールと連動部材との間に設置される
第二レールが、第一レールに対して、収納位置から開方向へ向かい予定位置まで移動したとき、第一連環ロック装置と連動し、連動部材を駆動して第一位置から第二位置へと移動させる。
【００１０】
本発明によるスライドレールキットにおいて、第一連環ロック装置は、第一ロック部材及び第一嵌着部材を有する。
第一ロック部材は、移動可能で、第一レールに連接される。
第一嵌着部材は、壁の開口を通過し、第一ロック部材と連動部材との間に設置される。
【００１１】
本発明によるスライドレールキットにおいて、第一レールの一端部に連接し、開口を有するサポートフレームをさらに備える。
第一ロック部材は、サポートフレームに対して移動可能で、サポートフレームの開口に対応する。
第一嵌着部材は、前記サポートフレームの開口に介して設置される。
【００１２】
本発明によるスライドレールキットにおいて、第二レールと第一連環ロック装置の第一ロック部材のいずれか一つは、案内部を有する。
案内部は、傾斜セクションを含む。
第二レールは、案内部の案内により、第一ロック部材を押すことが可能である。
【００１３】
本発明によるスライドレールキットにおいて、弾性力を第一嵌着部材に作用する弾性部材をさらに備える。
【００１４】
本発明によるスライドレールキットにおいて、第二スライドレールキット及び第二連環ロック装置をさらに備える。
第二スライドレールキットは、第三レール、第三レールに対して移動可能な第四レールを有する。
第二連環ロック装置は、連動部材に反応し、第一位置から第二位置へと移動したとき、阻害部により、第四レールを阻害する。
【００１５】
本発明によるスライドレールキットにおいて、第二連環ロック装置は、第二ロック部材と第二嵌着部材を有する。
第二ロック部材は、移動可能で、第三レールに連接する。
第二嵌着部材は、第二ロック部材と連動部材との間に設置され、連動部材が第一位置から第二位置まで移動したとき、第二ロック部材と連動し、第二ロック部材の阻害部が第四レールを阻害する。
【００１６】
本発明によるスライドレールキットにおいて、ラックに取り付けられるサポートレールをさらに備える。
【００１７】
本発明によるスライドレールキットにおいて、第一スライドレールキットは、ラックケースの壁に取り付けられ、第一スライドレールキットの第二レールは、搭載物を搭載する。
【００１８】
本発明によるもう一つのスライドレールキットは、サポートレール、第一レール、第二レール及び連環ロック装置を備える。
第二レールは、第一レールに対して移動可能である。
連環ロック装置は、第一レールとサポートレールとの間に可動するように設けられる。
第二レールは、第一レールに対して、収納位置から開方向へと予定位置まで移動したとき、連環ロック装置の移動と連動する。
【００１９】
本発明によるもう一つのスライドレールキットにおいて、連環ロック装置は、ロック部材と嵌着部材を有する。
ロック部材は、移動可能で、第一レールに連接される。
嵌着部材は、移動可能で、サポートレールに連接される。
第二レールは、第一レールに対して、収納位置から予定位置へと移動したとき、ロック部材と連動し、嵌着部材を移動させる。
【００２０】
本発明によるもう一つのスライドレールキットにおいて、第一レールとサポートレールは、それぞれ開口を含み、嵌着部材は、第一部及び第二部を含む。
第一部は、第一レールの開口を介して、ロック部材に介して設置される。
第二部は、第一部に連接し、サポートレールの開口に介して設置される。
【００２１】
本発明のスライドレールキットは、特定の外型、或いは型式に対応して連動部材が連動することができる。
【図面の簡単な説明】
【００２２】
【図１】本発明の第一実施形態の連環ロック装置を有するスライドレールキットをラックシステムに運用する斜視図である。
【図２】本発明の第一実施形態の連環ロック装置を有するスライドレールキットをラックシステムに運用する斜視図である。
【図３】本発明の第一実施形態の第一設備の第一スライドレールキットを第一壁に取り付けた状態を示す分解斜視図である。
【図４】本発明の第一実施形態の第一スライドレールキットの第一レールと第二レールの分解斜視図である。
【図５】本発明の第一実施形態の第一スライドレールキットの第一レール、第一ロック部材、台部材の分解斜視図である。
【図６】本発明の第一実施形態の第一設備がサポートレールによりラックに取り付けられた状態を示す分解斜視図である。
【図７】本発明の第一実施形態の第一連環ロック装置の第一嵌着部材をサポートレールに取り付けた状態を示す分解斜視図である。
【図８】本発明の第一実施形態のラックシステムの連動部材と補助支持フレームの分解斜視図である。
【図９】本発明の第一実施形態の第一設備の第一ラックケースがサポートレールに相対し第一方向移動へと移動する操作模式図である。
【図１０】本発明の第一実施形態の第一設備の第一ラックケースがサポートレールに相対し継続して第一方向移動へと移動する操作模式図である。
【図１１】本発明の第一実施形態の第一設備の第一ラックケースがサポートレールに取り付けられ、これにより第一嵌着部材が第一開口を通過した状態を示す模式図である。
【図１１Ａ】本発明の第一実施形態の第一設備の第一ラックケースがサポートレールに取り付けられた後、第一嵌着部材がさらにサポートフレームの第二開口を通過し、第一ロック部材の取り付け孔に取り付けられた状態を示す模式図である。
【図１２】本発明の第一実施形態のラックシステムの模式図である。
【図１３】図１２の第一スライドレールキットの第二レールが第二方向へと移動する状態を示す模式図で、連動部材が第一位置にあることを示す。
【図１４】図１３の第一スライドレールキットの第二レールがさらに第二方向へと移動する状態を示す模式図で、第二スライドレールキットの第二レールは阻害されていることを示す。
【図１５】図１３の１５-１５線でカットした断面図である。
【図１６】図１４の１６-１６線でカットした断面図である。
【図１７】本発明の第二実施形態の連環ロック装置を有するスライドレールキットをラックシステムに運用する分解斜視図である。
【図１８】本発明の第二実施形態の第一嵌着部材が弾性部材によりサポートレールと連動部材との間に取り付けられた状態を示す分解斜視図である。
【図１９】図１８の第一嵌着部材の局部斜視図である。
【図２０】本発明の第二実施形態の第一設備がサポートレールに相対し第一方向移動へと移動する操作模式図である。
【図２１】本発明の第二実施形態の第一設備がサポートレールに相対し継続して第一方向移動へと移動する操作模式図である。
【図２２】本発明の第二実施形態の第一設備がサポートレールに取り付けられた状態を示す模式図である。
【図２３】本発明第の二実施形態のラックシステムの模式図である。
【図２４】図２３の第一スライドレールキットの第二レールが第二方向へと移動する状態を示す模式図で、連動部材が第一位置にあることを示す。
【図２５】図２４の第一スライドレールキットの第二レールがさらに第二方向へと移動する状態を示す模式図で、第二設備の第二レールは阻害されていることを示す。
【発明を実施するための形態】
【００２３】
（第一実施形態）
図１に示す本発明の第一実施形態のラックシステム３０は、ラック（ｒａｃｋ）３２、連動部材３４、及び第一設備３６と第二設備３８などの少なくとも一個の設備を備える。
ラック３２は、複数のラックポスト４０ａ、４０ｂ、４０ｃ、４０ｄを有する。
連動部材３４は、ラック３２に隣り合う複数のラックポスト４０ａ、４０ｂ、４０ｃ、４０ｄの一つに位置する。
【００２４】
図２に示す通り、第一設備３６は、第一ラックケース４２及び第一スライドレールキット４６を有する。
第一ラックケース４２は、第一壁４４を有し、ラック３２の二個のラックポスト４０ａ、４０ｂの間に配置し、しかも第一高度位置Ｈ１に位置する。
第一スライドレールキット４６は、第一壁４４に取り付けられる。
【００２５】
第一スライドレールキット４６は、第一レール４８と第二レール５０を有し、第二レール５０は、第一レール４８に対して移動可能である。
第二レール５０は、第一搭載物５２を搭載し、これにより第一搭載物５２は、第一ラックケース４２に対して移動可能である。
【００２６】
第二設備３８は、第二ラックケース５４及び第二スライドレールキット５８を有する。
第二ラックケース５４は、第二壁５６を有し、第二壁５６はラック３２の二個のラックポスト４０ａ、４０ｂの間に配置され、しかも第二高度位置Ｈ２に位置する。
第二高度位置Ｈ２は、第一高度位置Ｈ１より高い。
第二スライドレールキット５８は、第二壁５６に取り付けられる。
【００２７】
第二スライドレールキット５８は、第一レール６０と第二レール６２を有し、第二レール６２は、第一レール６０に対して移動可能である。
第二レール６２は、第二搭載物６４を搭載し、これにより第二搭載物６４は、第二ラックケース５４に対して移動可能である。
この実施形態において、第一設備３６と第二設備３８とは、同等の構造配置を有する。
ここで、「同等」は、常識的な誤差範囲を含む。以下、「同等」は、拡大解釈するものとする。
【００２８】
図３及び図４に示す通り、第一設備３６の第一スライドレールキット４６の第一レール４８は、少なくとも一個の第一取り付け特徴６６により、第一ラックケース４２の第一壁４４の少なくとも一個の第二取り付け特徴６８に取り付けられる。
【００２９】
第一壁４４は、第一開口７０を有する。
第一設備３６は、は、第一連環ロック装置７２を有し、第一連環ロック装置７２は第一開口７０を介して、第一スライドレールキット４６と連動部材３４との間に設置される。
具体的には、第一連環ロック装置７２は、第一ロック部材７４と第一嵌着部材７６を有する。
第一ロック部材７４は、第一スライドレールキット４６の第一レール４８に可動するように連接される。
第一嵌着部材７６は、第一開口７０を通過し、第一ロック部材７４と連動部材３４との間に設置される。
【００３０】
図４にさらに示す通り、第一スライドレールキット４６の第一レール４８は、通路７８を有する。
第一スライドレールキット４６はさらに、サポートフレーム８０を有する。
サポートフレーム８０は、第一レール４８に隣り合う端部８２に連接し、第一レール４８の一部分とみなす。
第一連環ロック装置７２の第一ロック部材７４は、サポートフレーム８０に可動するように連接される。
第二レール５０は、第一レール４８の通路７８に可動するように取り付けられる。
【００３１】
最も好ましくは、第一連環ロック装置７２の第一ロック部材７４と第一スライドレールキット４６の第二レール５０のいずれか一つは、案内部を有する。
ここでは例として、第一ロック部材７４は、少なくとも一個の第一案内部８４を有し、及び第二レール５０は、少なくとも一個の第二案内部８６を有する。
少なくとも一個の第一案内部８４と少なくとも一個の第二案内部８６は、共に、傾斜セクション８８を有する。
【００３２】
このほか、第一連環ロック装置７２の第一ロック部材７４は、さらに阻害部９０を有する。
第一スライドレールキット４６の第二レール５０は、ロック解除部９２を有する。
阻害部９０とロック解除部９２とは、それぞれロック解除面９４ａ、９４ｂを有する。
ここでは例として、二個のロック解除面９４ａ、９４ｂは、斜面である。
【００３３】
図５に示す通り、台部材９６をさらに有し、第一スライドレールキット４６の第一レール４８のサポートフレーム８０に取り付ける。
第一連環ロック装置７２の第一ロック部材７４は、サポートフレーム８０と台部材９６との間に可動するように取り付けられる。
【００３４】
この実施形態では、台部材９６は、少なくとも二個の壁部９８ａ、９８ｂを有する。
少なくとも二個の壁部９８ａ、９８ｂの間には、空間１００が設けられ、空間１００内を第一ロック部材７４が可動する。
このほか、サポートフレーム８０は、第二開口１０２を有する。
第一連環ロック装置７２の第一ロック部材７４は、取り付け孔１０４を有し、第二開口１０２に対応して、第一連環ロック装置７２の第一嵌着部材７６を介して設置する。
【００３５】
図６に示す通り、第一設備３６の第一ラックケース４２の第一壁４４は、サポートレール１０６により、ラック３２の二個のラックポスト４０ａ、４０ｂの間に連接される。
第一連環ロック装置７２の第一嵌着部材７６は、第一ラックケース４２の第一壁４４の第一開口７０を通過する。
【００３６】
図７に示す通り、サポートレール１０６は、第三開口１０８を有する。
第一連環ロック装置７２の第一嵌着部材７６は、取り付け台１１０により、サポートレール１０６に可動するように取り付けられる。
【００３７】
例えば、取り付け台１１０とサポートレール１０６のいずれか一つは、長孔などの少なくとも一個の案内特徴１１２を有し、少なくとも一個の連接特徴１１４により、少なくとも一個の案内特徴１１２の一部分を通過し、取り付け台１１０を、サポートレール１０６に可動するように取り付ける。
【００３８】
第一連環ロック装置７２の第一嵌着部材７６は、少なくとも一個のサポート特徴１１６により、取り付け台１１０に配置される。
第一嵌着部材７６は、第一部１１８と第二部１２０を有し、第二部１２０は、第一部１１８に連接する。
第一部１１８は、弧面などの少なくとも一個の案内セクション１２２を有する。
第二部１２０は、取り付け台１１０とサポートレール１０６の第三開口１０８を通過する。
最も好ましくは、バネなどの弾性部材１２４をさらに有し、取り付け台１１０と第一嵌着部材７６の第二部１２０との間に取り付けられる。
【００３９】
図８に示す通り、ラックシステム３０は、補助支持フレーム１２６、補助支持フレーム１２６に連接する少なくとも一個の取り付け部材１２８を有する。
この実施形態では、補助支持フレーム１２６は、ラック３２に隣り合うラックポスト４０ａに位置し、連動部材３４は、補助支持フレーム１２６に可動するように取り付けられる。
少なくとも一個の取り付け部材１２８と連動部材３４のいずれか一つは、少なくとも一個の案内孔１３０を有し、少なくとも一個の連接部材１３１により、案内孔１３０の一部分を通過し、連動部材３４を、補助支持フレーム１２６に可動するように取り付ける。
【００４０】
最も好ましくは、第一特徴１３２、第二特徴１３４などの連動部材３４は、複数の特徴を有する。
第一特徴１３２と第二特徴１３４は、孔、槽、或いは陥没構造であるが、ここでは、孔を例とする。
【００４１】
図９に示す通り、第一嵌着部材７６の第二部１２０は、連動部材３４の第一特徴１３２に介して設置する。
取り付け過程では、第一設備３６は、第一方向Ｄ１へと移動する。
【００４２】
図１０に示す通り、第一方向Ｄ１へと継続して移動する過程において、第一設備３６の第一ラックケース４２の第一壁４４は、第一嵌着部材７６の少なくとも一個の案内セクション１２２の案内により、第一嵌着部材７６を押して移動させる。
これにより、弾性部材１２４は、第一嵌着部材７６の移動に反応し、弾力を蓄積する。
【００４３】
図１０と図１１に示す通り、第一方向Ｄ１へと移動を継続し、しかも第一設備６６の第一壁４４の第一開口７０が、第一連環ロック装置７２の第一嵌着部材７６に対応する時、第一嵌着部材７６は、弾性部材１２４の弾力に反応して、第一壁４４の第一開口７０を通過する。
【００４４】
図１１Ａに示す通り、第一スライドレールキット４６が、第一壁４４に取り付けられると、第一嵌着部材７６はさらにサポートフレーム８０の第二開口１０２を通過し、第一ロック部材７４の取り付け孔１０４中に取り付けられる。
図１２と図１３に示す通り、連動部材３４は、ラックポスト４０ａに対応し、第一位置Ｐ１に位置する。
【００４５】
操作過程において、第一設備３６の第一スライドレールキット４６の第二レール５０は、第一レール４８に対応し、収納位置Ｌ１から第二方向Ｄ２へと移動する。
例えば、開方向へと移動し、ここでは過程において、第二レール５０の第二案内部８６の傾斜セクション８８は、第一ロック部材７４の第一案内部８４の傾斜セクション８８を押し、これにより第一ロック部材７４を押して動かすことができる。
【００４６】
図１３と図１４に示す通り、第一スライドレールキット４６の第二レール５０が、第二方向Ｄ２への移動を続け、予定位置Ｌ２まで至ると、第一スライドレールキット４６の第二レール５０は、第一連環ロック装置７２の第一ロック部材７４を連動し、第三方向Ｄ３へと移動させる。
順番に、第一ロック部材７４により、第一嵌着部材７６を連動し、さらに第一嵌着部材７６により連動部材３４を連動して、第三方向Ｄ３へと移動させる（この部分の連動関係は図１１及び図１１Ａ参照）。
これにより、連動部材３４は、第一位置Ｐ１よりラックポスト４０ａに対応して第二位置Ｐ２へと移動する。
【００４７】
前記のように、第一設備３６と第二設備３８とは、同等の構造配置を有するため、連動部材３４は、第二設備３８の第二連環ロック装置１３６の第二ロック部材１３８を連動し、第三方向Ｄ３へと移動させ、第二スライドレールキット５８の第二レール６２の活動ルートを阻害する（詳細は、以下の図１５及び図１６に関する部分で説明する）。
【００４８】
例えば、この状態下で、第二連環ロック装置１３６の第二ロック部材１３８の阻害部１４０は、第二スライドレールキット５８の第二レール６２のロック解除部１４２を阻害することができる。
すなわち、第二連環ロック装置１３６は、連動部材３４に反応し、第一位置Ｐ１から第二位置Ｐ２まで移動し、阻害部１４０により第二スライドレールキット５８の第二レール６２を阻害する。
こうして、第二スライドレールキット５８の第二レール６２の、第一レール６０に対応した第二方向Ｄ２への活動を制限する。
【００４９】
第一スライドレールキット４６の第二レール５０が、第二方向Ｄ２に反対の第一方向へと移動すると、第二レール５０のロック解除部９２のロック解除面９４ｂと第一連環ロック装置７２の第一ロック部材７４の阻害部９０のロック解除面９４ａにより、第二レール５０は、第一連環ロック装置７２の第一ロック部材７４を連動し、連動部材３４を連動して、第二位置Ｐ２から第一位置Ｐ１へと移動させる。
これにより、第二連環ロック装置１３６の第二ロック部材１３８は、第二設備３８の第二スライドレールキット５８の第二レール６２を阻害しない。
【００５０】
図１５と図１６に示す通り、第一スライドレールキット４６の第二レール５０が、収納位置Ｌ１から第二方向Ｄ２へと移動する過程において、連動部材３４は、第一位置Ｐ１から第二位置Ｐ２へと移動する。
これにより、連動部材３４の第二特徴１３４の第二連環ロック装置１３６の第二嵌着部材１４４を通過し、連動部材３４に従い、第三方向Ｄ３へと移動し、第二連環ロック装置１３６の第二ロック部材１３８を連動する。
これにより、第二連環ロック装置１３６の第二ロック部材１３８の阻害部１４０は、第二スライドレールキット５８の第二レール６２のロック解除部１４２を阻害することができる。
【００５１】
（第二実施形態）
図１７と図１８は、本発明ラックシステムの第二実施形態を示す。
第二実施形態と第一実施形態との差異は、以下のとおりである。
第一設備２００の第一連環ロック装置２０２の第一嵌着部材２０４は、弾片などの弾性部材２０６により、サポートレール２０８に可動するように取り付けられる。
【００５２】
具体的には、弾性部材２０６は、サポートレール２０８に可動するように連接され、サポートレール２０８は、第三開口２１０を有する。
弾性部材２０６は、孔２１２を有する。
第一嵌着部材２０４の第一部２１４は、第三開口２１０を通過する。
図１９に示す通り、第一嵌着部材２０４は、突出セクション２１６を有し、突出セクション２１６は弾性部材２０６の孔２１２に取り付ける。
しかも、第一嵌着部材２０４の第二部２１８は、連動部材２２０の第一特徴２２２に介して設置する。
【００５３】
図２０と図２１に示す通り、取り付け過程では、第一設備２００は、第一方向Ｄ１へと移動する。
第一設備２００の第一壁２２４は、第一嵌着部材２０４の少なくとも一個の案内セクションである第一開口２２６により、例えば斜面の案内により、第一嵌着部材２０４を押して移動させる。
これにより、弾性部材２０６は第一嵌着部材２０４の移動に反応し、弾力を蓄積する。
【００５４】
図２１と図２２に示す通り、第一方向Ｄ１への移動を継続し、しかも第一設備２００の第一壁２２４の第一開口２２６が、第一嵌着部材２０４に対応すると、第一嵌着部材２０４は、弾性部材２０６の弾力に反応し、第一壁２２４の第一開口２２６を通過する。
【００５５】
図２３と図２４に示す通り、連動部材２２０は、第一ラックポスト２２８に対して、第一位置Ｐ１に位置する。
操作過程において、第一設備２００の第一スライドレールキット２３０の第二レール２３２を、収納位置Ｌ１から第二方向Ｄ２へと移動させ、第二レール２３２の第二案内部２３４の傾斜セクション２３６は、第一連環ロック装置２０２の第一ロック部材２３７の第一案内部２３８を押す。
【００５６】
図２４と図２５に示す通り、第一設備２００の第二レール２３２が第二方向Ｄ２へと第一レール２４０に対して予定位置Ｌ２へと移動を継続すると、第一設備２００の第二レール２３２は、第一連環ロック装置２０２の第一ロック部材２３７に接触する。
これにより、第一連環ロック装置２０２の第一ロック部材２３７は、第三方向Ｄ３へと移動し、第一嵌着部材２０４と弾性部材２０６を連動して移動させ、連動部材２２０を駆動し、第一位置Ｐ１から第一ラックポスト２２８に対して第二位置Ｐ２へと移動する。
【００５７】
これにより、第二連環ロック装置２４２の第二嵌着部材２４４は、第二連環ロック装置２４２の第二ロック部材２４６を連動し、第三方向Ｄ３へと移動し、第二スライドレールキット２４８の第二レール２５０を阻害する。
例えば、第二連環ロック装置２４２の第二ロック部材２４６の阻害部２５２は、第二スライドレールキット２４８の第二レール２５０のロック解除部２５４を阻害することができる。
【００５８】
前述した本発明の実施形態は本発明を限定するものではなく、よって、本発明により保
護される範囲は特許請求の範囲を基準とする。
【符号の説明】
【００５９】
３０  ・・・ラックシステム、
３２  ・・・ラック、
３４、２２０  ・・・連動部材、
３６、２００  ・・・第一設備、
３８  ・・・第二設備、
４０ａ、４０ｂ、４０ｃ、４０ｄ  ・・・ラックポスト、
４２  ・・・第一ラックケース、
４４、２２４  ・・・第一壁、
４６、２３０  ・・・第一スライドレールキット、
４８、６０、２４０  ・・・第一レール、
５０、６２、２３２、２５０  ・・・第二レール、
５２  ・・・第一搭載物、
５４  ・・・第二ラックケース、
５６  ・・・第二壁、
５８、２４８  ・・・第二スライドレールキット、
６４  ・・・第二搭載物、
６６、２２２  ・・・第一取り付け特徴、
６８  ・・・第二取り付け特徴、
７０  ・・・開口、
７２、２０２  ・・・第一連環ロック装置、
７４、２３７  ・・・第一ロック部材、
７６、２０４  ・・・第一嵌着部材、
７８  ・・・通路、
８０  ・・・サポートフレーム、
８２  ・・・端部、
８４、２３８  ・・・第一案内部、
８６、２３４  ・・・第二案内部、
８８、２３６  ・・・傾斜セクション、
９０  ・・・阻害部、
９２  ・・・ロック解除部、
９４ａ、９４ｂ  ・・・ロック解除面、
９６  ・・・台部材、
９８ａ、９８ｂ  ・・・壁部、
１００  ・・・空間、
１０２  ・・・第二開口、
１０４  ・・・取り付け孔、
１０６、２０８  ・・・サポートレール、
１０８、２１０  ・・・第三開口、
１１０  ・・・取り付け台、
１１２  ・・・案内特徴、
１１４  ・・・連接特徴、
１１６  ・・・サポート特徴、
１１８、２１４  ・・・第一部、
１２０、２１８  ・・・第二部、
１２２、２２６  ・・・案内セクション、
１２４、２０６  ・・・弾性部材、
１２６  ・・・補助支持フレーム、
１２８  ・・・取り付け部材、
１３０  ・・・案内孔、
１３１  ・・・連接部材、
１３２  ・・・第一特徴、
１３４  ・・・第二特徴、
１３６、２４２  ・・・第二連環ロック装置、
１３８、２４６  ・・・第二ロック部材、
１４０、２５２  ・・・阻害部、
１４２、２５４  ・・・ロック解除部、
１４４、２４４  ・・・第二嵌着部材、
２１２  ・・・孔、
２１６  ・・・突出セクション、
２２８  ・・・第一ラックポスト、
Ｄ１  ・・・第一方向、
Ｄ２  ・・・第二方向、
Ｄ３  ・・・第三方向、
Ｈ１  ・・・第一高度位置、
Ｈ２  ・・・第二高度位置、
Ｌ１  ・・・収納位置、
Ｌ２  ・・・予定位置。
【図１】
0006383762.tif 000002
【図２】
0006383762.tif 000003
【図３】
0006383762.tif 000004
【図４】
0006383762.tif 000005
【図５】
0006383762.tif 000006
【図６】
0006383762.tif 000007
【図７】
0006383762.tif 000008
【図８】
0006383762.tif 000009
【図９】
0006383762.tif 000010
【図１０】
0006383762.tif 000011
【図１１】
0006383762.tif 000012
【図１１Ａ】
0006383762.tif 000013
【図１２】
0006383762.tif 000014
【図１３】
0006383762.tif 000015
【図１４】
0006383762.tif 000016
【図１５】
0006383762.tif 000017
【図１６】
0006383762.tif 000018
【図１７】
0006383762.tif 000019
【図１８】
0006383762.tif 000020
【図１９】
0006383762.tif 000021
【図２０】
0006383762.tif 000022
【図２１】
0006383762.tif 000023
【図２２】
0006383762.tif 000024
【図２３】
0006383762.tif 000025
【図２４】
0006383762.tif 000026
【図２５】
0006383762.tif 000027